(57)【要約】【課題】  液晶装置等の電気光学装置において、対光性を高め、高品位の画像を表示する。【解決手段】  電気光学装置は、ＴＦＴアレイ基板（１０）上に、画素電極（９ａ）と、これに接続されたＴＦＴ（３０）と、このＴＦＴの少なくともチャネル領域を覆う遮光層（７３、６ａ）と、この遮光層とＴＦＴとの間に配置されておりチャネル領域を形成する主材料を主材とする光吸収層（７２、７１ａ）とを備える。光吸収層により、遮光層のＴＦＴ側に向いた内面における内面反射や多重反射の発生を抑える。【選択図】      図３
2004295136.tif 000002
【特許請求の範囲】
【請求項１】
一方の基板と、
前記一対の基板間に配置された電気光学物質と、
前記一対の基板の一方に形成された画素電極と、
前記画素電極に接続された薄膜トランジスタと、
前記一方の基板と前記薄膜トランジスタとの間に配置され、前記薄膜トランジスタの少なくともチャネル領域を覆う第1遮光層と、
前記一方の基板において、前記薄膜トランジスタを介して前記遮光層と対峙して配置される第１光吸収層と、
前記第1光吸収層の前記薄膜トランジスタと反対側に配置された第２遮光層と、を備えることを特徴とする電気光学装置。
【請求項２】
さらに、前記第１遮光層と前記薄膜トランジスタとの間に第２光吸収層が設けられていることを特徴とする請求項１に記載の電気光学装置。
【請求項３】
前記第１遮光層は、前記第２遮光層の内側の領域に形成されていることを特徴とする請求項１または２のいずれか一項に記載の電気光学装置。
【請求項４】
光源と、請求項１から３のいずれか1つの電気光学装置でなるライトバルブと、
前記光源から発光した光を前記ライトバルブに導光する導光部材と、
前記ライトバルブで変調された光を投射する投射光学部材と、を有することを特徴とする投射型表示装置。
【発明の詳細な説明】
【技術分野】
【０００１】
本発明は、アクティブマトリクス駆動方式の電気光学装置の技術分野に属し、特に画素スイッチング用の薄膜トランジスタ（Thin Film Transistor:以下適宜、ＴＦＴと称す）を、基板上の積層構造中に備えた形式の電気光学装置の技術分野に属する。
【背景技術】
【０００２】
ＴＦＴアクティブマトリクス駆動形式の電気光学装置では、各画素に設けられた画素スイッチング用ＴＦＴのチャネル領域に入射光が照射されると光による励起で電流が発生してＴＦＴの特性が変化する。特に、プロジェクタのライトバルブ用の電気光学装置の場合には、入射光の強度が高いため、ＴＦＴのチャネル領域やその周辺領域に対する入射光の遮光を行うことは重要となる。そこで従来は、対向基板に設けられた各画素の開口領域を規定する遮光膜により、或いはＴＦＴの上を通過すると共にＡｌ等の金属膜からなるデータ線により、係るチャネル領域やその周辺領域を遮光するように構成されている。また特開平９−３３９４４号公報には、屈折率が大きいａ−Ｓｉ（アモルファスシリコン）から形成された遮光膜で、チャネル領域に入射する光を減少させる技術が開示されている。更に、ＴＦＴアレイ基板上において画素スイッチング用ＴＦＴに対向する位置（即ち、ＴＦＴの下側）にも、例えば高融点金属からなる遮光膜を設けることがある。このようにＴＦＴの下側にも遮光膜を設ければ、ＴＦＴアレイ基板側からの裏面反射や、複数の電気光学装置をプリズム等を介して組み合わせて一つの光学系を構成する場合に他の電気光学装置からプリズム等を突き抜けてくる投射光が、当該電気光学装置のＴＦＴに入射するのを未然に防ぐことができる。
【発明の開示】
【発明が解決しようとする課題】
【０００３】
しかしながら、上述した各種遮光技術によれば、以下の問題点がある。
【０００４】
即ち、先ず対向基板上やＴＦＴアレイ基板上に遮光膜を形成する技術によれば、遮光膜とチャネル領域との間は、３次元的に見て例えば液晶層、電極、層間絶縁膜等を介してかなり離間しており、両者間へ斜めに入射する光に対する遮光が十分ではない。特にプロジェクタのライトバルブとして用いられる小型の電気光学装置においては、入射光は光源からの光をレンズで絞った光束であり、斜めに入射する成分を無視し得ない程に含んでいるので、このような斜めの入射光に対する遮光が十分でないことは実践上問題となる。
【０００５】
加えて、遮光膜のない領域から電気光学装置内に侵入した光が、遮光膜やデータ線の内面（即ち、チャネル領域に面する側の面）で反射された後に、係る反射光或いはこれが更に遮光膜やデータ線の内面で反射された多重反射光が最終的にＴＦＴのチャネル領域に到達してしまう場合もある。またデータ線で遮光する技術によれば、データ線は平面的に見て走査線に直交して伸びるストライプ状に形成されており且つデータ線とチャネル領域との容量カップリングの悪影響が無視できる程度に両者間に厚い層間絶縁膜を配置する必要があるため、十分に遮光することは、基本的に困難である。
【０００６】
また特開平９−３３９４４号公報に記載の技術によれば、ゲート線上にａ−Ｓｉ膜を形成するため、ゲート電極とａ−Ｓｉ膜との容量カップリングの悪影響を低減するために両者間に比較的厚い層間絶縁膜を積むことが必要となる。この結果、追加的に形成されるａ−Ｓｉ膜や層間絶縁膜等により積層構造が複雑肥大化すると共にやはり斜めの入射光や内面反射光に対して十分な遮光を行うことは困難である。特に近年の表示画像の高品位化という一般的要請に沿うべく電気光学装置の高精細化或いは画素ピッチの微細化を図るに連れて、上述した従来の各種遮光技術によれば、十分な遮光を施すのがより困難となり、ＴＦＴのトランジスタ特性の変化により、フリッカ等が生じて、表示画像の品位が低下してしまうという問題点がある。
【０００７】
尚、このような耐光性を高めるためには、遮光膜の形成領域を広げればよいようにも考えられるが、遮光膜の形成領域を広げてしまったのでは、表示画像の明るさを向上させるべく各画素の開口率を高めることが根本的に困難になるという問題点が生じる。
【０００８】
本発明は上述の問題点に鑑みなされたものであり、耐光性に優れていると共に各画素の開口率が比較的高く、高品位の画像表示が可能な電気光学装置を提供することを課題とする。
【課題を解決するための手段】
【０００９】
（１）本発明の電気光学装置は上記課題を解決するために、一対の基板と、前記一対の基板間に設けられた電気光学物質と、前記一対の基板の一方に形成された画素電極と、前記画素電極に接続された薄膜トランジスタと、前記薄膜トランジスタの少なくともチャネル領域を覆う遮光層と、前記遮光層と前記薄膜トランジスタとの間に配置された光吸収層とを備える。
【００１０】
本発明の電気光学装置によれば、画素電極に接続された薄膜トランジスタの少なくともチャネル領域は、遮光層により遮光される。
【００１１】
ここで一般に、Ａｌ（アルミニウム）膜、Ｃｒ（クロム）膜等の遮光性の金属膜等からなる遮光層を用いる場合には、薄膜トランジスタに対して遮光層が設けられた側からの光については、遮光層における薄膜トランジスタに面しない側の表面（即ち、当該電気光学装置における遮光層の外面）により、光を反射することにより、基本的に十分に遮光可能である。即ち、遮光層を薄膜トランジスタに対して入射光（例えば、プロジェクタ用途の場合の投射光など）が入射する側に設ければ、当該入射光を遮光層の外面により遮光可能である。或いは、遮光層を薄膜トランジスタに対して入射光が出射する側に設ければ、戻り光（例えば、プロジェクタ用途の場合の裏面反射光や、複板式のプロジェクタ用途のように複数の電気光学装置をライトバルブとして組み合わせて用いる際に他のライトバルブから合成光学系を突き抜けてくる光など）を遮光層の外面により遮光可能である。しかしながら、遮光層が配置されたのと反対側から薄膜トランジスタの脇を抜けてくる基板に対して斜めの戻り光（例えば、遮光層を薄膜トランジスタの入射側に配置した場合）或いは入射光（例えば、遮光層を薄膜トランジスタの出射側に配置した場合）については少なくとも部分的に、遮光層における薄膜トランジスタに面する側の表面（即ち、当該電気光学装置における遮光層の内面）で反射される。すると、遮光層と薄膜トランジスタとの間に、このような斜めの入射光や戻り光が遮光層の内面で反射してなる内面反射光や、更にこの内面反射光が他の膜で反射することによる多重反射を発生させる。従って、薄膜トランジスタに対して単純に遮光層を設けただけでは、遮光層の形成面積の大小や配置によらず、遮光層の内面での反射に起因する内面反射光や多重反射光が、最終的に薄膜トランジスタに入射して、そのトランジスタ特性を劣化させてしまうのである。
【００１２】
しかるに本発明によれば、このような遮光層が設けられたのと反対側から薄膜トランジスタの脇を抜けて斜めに遮光層の内面に至ろうとする光や遮光層の内面で反射された光は、遮光層と薄膜トランジスタとの間に配置された光吸収層により、吸収される。この結果、反射率の高いＡｌ膜やＣｒ膜等の金属膜からなる遮光層を設けることにより、遮光層の外面に入射する光を十分に遮光することで、光リークによるトランジスタ特性の劣化を効果的に防ぐことができる。更に遮光層により、画像表示領域で光抜けが生じてコントラス比が低下するのを効果的に防止できる。他方で、遮光層の内面における反射に起因する内面反射光や多重反射光は、光吸収層により吸収されるので、光リークによるトランジスタ特性の劣化をより一層効果的に防ぐことができる。しかも、このような遮光や光吸収を、例えば伝統的な対向基板に設けられた遮光膜により行う場合と比較して、薄膜トランジスタに比較的近接して行うことが可能となり、これにより不必要に遮光膜の形成領域を広げることを避けつつ（即ち、各画素の非開口領域を不必要に狭めることなく）、遮光性能を向上させることができる。
【００１３】
以上の結果、各画素の開口率が高く、且つ高い耐光性により薄膜トランジスタの光リークによる特性劣化が低減されており、しかもコントラスト比が高く高品位の画像表示が可能な電気光学装置が実現される。
【００１４】
尚、本発明における遮光層と光吸収層との間の層間距離は、両者間に何らの膜も介在させることなく或いは極薄い絶縁膜等を配置することで短くてもよいし、両者間に厚めの層間絶縁膜を配置することで長くしてもよい。以下に説明するように、遮光層及び光吸収層を一対の容量電極として用いて蓄積容量を構築する観点からや、光吸収層で発生する熱を、遮光層を介して逃がす観点からは、これら遮光層と光吸収層との間の層間距離を短くした方が有利である。
【００１５】
（２）本発明の電気光学装置の一の態様では、前記光吸収層は、薄膜トランジスタのチャネル領域を形成する主材料を主材とする。例えば、シリコンを主材とし、シリコンを導体化するためにＰ、Ｂ、Ａｓがドープされたポリシリコン膜からなる。
【００１６】
また、薄膜トランジスタのチャネルはシリコンを主材としたポリシリコンである。このポリシリコンは、薄膜トランジスタの閾値電圧Ｖｔｈを制御するためにＢ、Ｐ、Ａｓ等が微量にドープされているか、又はノンドープである。
【００１７】
また、チャネル、光吸収層にはポリシリコンの代わりにアモルファスシリコンや単結晶シリコンを用いても良い。
【００１８】
（３）本発明の電気光学装置の他の態様では、前記光吸収層は、シリコン膜からなる。
【００１９】
この態様によれば、シリコン膜からなる光吸収層により、遮光層の内面に至ろうとする光や該内面で反射された光を吸収できる。従って、内面反射光や多重反射光の発生を効果的に阻止できる。特に、薄膜トランジスタのチャネル領域をなす半導体層としてポリシリコン膜を採用すれば、チャネル領域における光吸収特性（周波数依存性等）と類似或いは同一の光吸収特性を、当該光吸収層が有することになる。従って、チャネル領域で吸収されることにより光リークの原因となる光成分を中心として、光吸収層により吸収除去できるので、大変有利である。
【００２０】
（４）本発明の電気光学装置の他の態様では、前記遮光層は、金属を含む膜からなる。
【００２１】
この態様によれば、金属を含む膜からなる遮光層により、遮光層の外面により入射光や戻り光を十分に遮光可能となる。この際特に、内面反射光や多重反射光については光吸収層で吸収除去できるので、Ａｌ膜等の反射率が極めて高い金属を含む膜を採用可能となる。尚、Ａｌ膜の他に、金属を含む膜としては例えば、Ｔｉ（チタン）、Ｃｒ（クロム）、Ｗ（タングステン）、Ｔａ（タンタル）、Ｍｏ（モリブデン）、Ｐｂ（鉛）等の高融点金属のうち少なくとも一つを含む、金属単体、合金、金属シリサイド、ポリシリサイド、これらを積層したもの等が挙げられる。
【００２２】
（５）本発明の電気光学装置の他の態様では、前記遮光層は、前記基板上における前記薄膜トランジスタの上側に配置されている。
【００２３】
この態様によれば、薄膜トランジスタの上側に配置された遮光層の外面により、入射光を遮光可能である。そして、遮光層の内面に至ろうとする戻り光や遮光層の内面で反射する光については光吸収層で吸収除去されるので、遮光層の内面における反射に起因する内面反射光や多重反射光による薄膜トランジスタの特性劣化を、これらの遮光層及び光吸収層により阻止できる。
【００２４】
（６）前記遮光層が上側に配置された態様では、前記遮光層は、データ線からなってもよい。
【００２５】
このように構成すれば、Ａｌ膜等からなるデータ線に、配線としての機能に加えて、遮光層としての機能を持たせることにより、専用の遮光層を追加形成することによる積層構造の複雑化を招かなくて済む。従って、装置構成及び製造プロセスの簡略化を図る上で大変有利である。
【００２６】
（７）前記遮光層が上側に配置された態様では、前記遮光層は、データ線と前記薄膜トランジスタとの間に配置された容量線からなり、前記光吸収層は、前記容量線に誘電体膜を介して対向配置され且つ画素毎に島状に分断された容量電極からなってもよい。
【００２７】
このように構成すれば、金属膜やポリシリコン膜等からなる容量線に、配線としての機能に加えて、遮光層としての機能を持たせると同時に、ポリシリコン膜等からなる容量電極に、電極としての機能に加えて、光吸収層としての機能を持たせることにより、専用の遮光層や光吸収層を追加形成することによる積層構造の複雑化を招かなくて済む。従って、装置構成及び製造プロセスの簡略化を図る上で大変有利である。
【００２８】
（８）前記遮光層が上側に配置された態様では、前記遮光層は、前記薄膜トランジスタに接続されており第１方向に夫々伸びる複数のデータ線と、前記画素電極に接続されており前記第１方向に交差する第２方向に夫々伸びる複数の容量線とからなってもよい。
【００２９】
このように構成すれば、Ａｌ膜等からなるデータ線に、配線としての機能に加えて、遮光層の一部としての機能を持たせると同時に、金属膜やポリシリコン膜等からなる容量線に、配線としての機能に加えて、遮光層の一部としての機能を持たせることにより、専用の遮光層を追加形成することによる積層構造の複雑化を招かなくて済む。特に、データ線に沿った方向については、データ線を遮光層として利用し、容量線或いは走査線に沿った方向については、容量線を遮光層として利用すれば、配線レイアウト上も無駄が少なくて済む。従って、装置構成及び製造プロセスの簡略化を図る上で大変有利である。
【００３０】
（９）或いは、前記遮光層が上側に配置された態様では、前記遮光層は、データ線と前記薄膜トランジスタとの間に配置された多層構造を持つ容量線の一の層からなり、前記光吸収層は、前記容量線のうち前記一の層よりも前記薄膜トランジスタに近い側にある他の層からなってもよい。
【００３１】
このように構成すれば、遮光層及び光吸収層の両者を含む多層構造を有する容量線により、遮光機能及び光吸収機能の両者を持たせることができる。加えて、光吸収層において光吸収に伴って発生する熱を、遮光層を介して逃がすことも可能となる。
【００３２】
（１０）更に、上述の如くに容量線を備えた各種の場合に、前記容量線は、画像表示領域内で前記データ線に交差する方向に伸びるストライプ状に形成されており且つ前記画像表示領域の周辺に位置する周辺領域で定電位源に接続されてもよい。
【００３３】
このように構成すれば、容量線を周辺領域において定電位に落とすことができ、当該容量線のうち画像表示領域内において各容量電極に対向配置される定電位部分を、蓄積容量を構成する固定電位側容量電極として良好に機能させることができる。従って、蓄積容量の性能を高めることができる。係る定電位源としては、薄膜トランジスタを駆動するための周辺駆動回路に供給される正電源や負電源の定電位源でもよいし、対向基板の対向電極に供給される定電位でも構わない。
【００３４】
（１１）このように容量線を定電位源に接続する場合、前記容量線は、前記周辺領域で相互に接続されており、前記定電位源に対して一又は複数のコンタクトを介して複数まとめて接続されてもよい。
【００３５】
このように構成すれば、画像表示領域で、複数のストライプ状とされている容量線を、周辺領域で、一又は複数のコンタクト（例えば、基板の４隅に設けられたコンタクト）により、まとめて定電位に落とすことが可能となる。
【００３６】
（１２）或いはこのように容量線を定電位源に接続する場合、前記容量線は、前記周辺領域で相互に接続されており、前記定電位源に対して複数のコンタクトを介して冗長的に接続されてもよい。
【００３７】
このように構成すれば、画像表示領域で、複数のストライプ状とされている容量線を、周辺領域で、冗長的に設けられた複数のコンタクトにより、安定且つ確実に定電位に落とすことが可能となる。
【００３８】
（１３）また、前述した遮光層が上側に配置された態様では、前記基板上における前記薄膜トランジスタの下側に配置されており前記薄膜トランジスタの少なくともチャネル領域を覆う他の遮光層を更に備えてもよい。
【００３９】
このように構成すれば、当該他の遮光膜により、薄膜トランジスタの下側から来る戻り光に対する遮光を行うことができ、薄膜トランジスタの上下から遮光を行うことができる。この際特に、二つの遮光膜間で生じようとする内面反射光や多重反射光については光吸収層により吸収除去できる。尚、他の遮光層は例えば、Ｔｉ、Ｃｒ、Ｗ、Ｔａ、Ｍｏ、Ｐｂ等の高融点金属のうち少なくとも一つを含む、金属単体、合金、金属シリサイド、ポリシリサイド、これらを積層したものから構成すればよい。
【００４０】
（１４）この場合、前記他の遮光層と前記薄膜トランジスタとの間に配置され、薄膜トランジスタのチャネルを形成する主材料（例えば、シリコン或いはポリシリコン）を主材とする他の光吸収層を更に備えてもよい。
【００４１】
このように構成すれば、二つの遮光膜間で生じようとする内面反射光や多重反射光については、二つの光吸収層により、一層強力に吸収除去できる。
【００４２】
（１５）本発明の電気光学装置の他の態様では、前記遮光層は、前記基板上における前記薄膜トランジスタの下側に配置されている。
【００４３】
この態様によれば、薄膜トランジスタの下側に配置された遮光層の外面により、戻り光を遮光可能である。そして、遮光層の内面に至ろうとする入射光や遮光層の内面で反射する光については光吸収層で吸収除去されるので、遮光層の内面における反射に起因する内面反射光や多重反射光による薄膜トランジスタの特性劣化を、これらの遮光層及び光吸収層により阻止できる。尚、このように薄膜トランジスタの下側に配置される遮光層は例えば、Ｔｉ、Ｃｒ、Ｗ、Ｔａ、Ｍｏ、Ｐｂ等の高融点金属のうち少なくとも一つを含む、金属単体、合金、金属シリサイド、ポリシリサイド、これらを積層したものから構成すればよい。
【００４４】
（１６）本発明の電気光学装置の他の態様では、前記光吸収層は、前記画素電極或いはデータ線と前記薄膜トランジスタとを中継接続する中間導電層からなる部分を含む。
【００４５】
この態様によれば、ポリシリコン膜等からなる中間導電層に、中継接続する機能に加えて、光吸収層の一部としての機能を持たせることにより、専用の光吸収層を追加形成することによる積層構造の複雑化を低減できる。従って、装置構成及び製造プロセスの簡略化を図る上で有利である。尚、このように中間導電層を利用して中継接続すれば、薄膜トランジスタと画素電極との間や、薄膜トランジスタとデータ線との間が長くても、両者間を一つのコンタクトホールで接続する技術的困難性を回避しつつ比較的小径の二つ以上の直列なコンタクトホールで両者間を良好に接続できる。
【００４６】
（１７）本発明の電気光学装置の他の態様では、前記遮光層は、前記光吸収層よりも熱伝導率が高い。
【００４７】
この態様によれば、光吸収層において光吸収に伴って発生する熱を、熱伝導率の高い遮光層を介して逃がすことができる。即ち、光吸収層から薄膜トランジスタに伝わる熱量を低減でき、これにより、薄膜トランジスタで生じる熱リークを低減できる。従って、遮光層及び光吸収層により、光リーク及び熱リークの両者を低減することにより、トランジスタ特性を顕著に向上させ得る。
【００４８】
（１８）この態様では、前記薄膜トランジスタと前記光吸収層との層間距離は、前記光吸収層と前記遮光層との層間距離よりも大きくてもよい。
【００４９】
このように構成すれば、光吸収層において光吸収に伴って発生する熱を、当該光吸収層の近く配置された遮光層を介して、一層効率良く逃がすことができる。
即ち、光吸収層の遠くに配置された分だけ、薄膜トランジスタに伝わる熱量を低減できる。尚、これら薄膜トランジスタと光吸収層との層間や、光吸収層と遮光層との層間には、層間絶縁膜等が設けられる。
【００５０】
（１９）本発明の電気光学装置の他の態様では、前記遮光層は、前記光吸収層上に絶縁膜を介して積層され且つ前記光吸収層よりも平面的に見て一回り大きく形成される。
【００５１】
この態様によれば、光吸収層よりも一回り大きい遮光層により、遮光層の外面側における遮光を行うと同時に、遮光層よりも一回り小さい光吸収層により、遮光層の内面側における光吸収を行うことができる。
【００５２】
（２０）本発明の電気光学装置の他の態様では、一対の基板と、前記一対の基板間に形成された電気光学物質と、前記一対の基板の一方に形成された画素電極と、前記画素電極に接続された薄膜トランジスタと、前記薄膜トランジスタの少なくともチャネル領域を覆う第１遮光層と、前記薄膜トランジスタを介して前記第１遮光層と対峙する第１光吸収層とを備えたことを特徴とする。
【００５３】
この態様によれば、第１遮光層で薄膜トランジスタに入射する光を遮光し、第１光吸収層で光を吸収して薄膜トランジスタに光が反射するのを防止する。
【００５４】
（２１）また、前記第１遮光層は、前記薄膜トランジスタに対して光入射側に設けられているとよい。
【００５５】
この態様によれば、第１遮光層で直接薄膜トランジスタに光が照射されるのを防ぐことができる。
【００５６】
（２２）さらに、前記第１遮光層と前記薄膜トランジスタとの間に第２光吸収層が設けられているとよい。
【００５７】
この態様によれば、内部反射等によって第１遮光層の薄膜トランジスタ側に向けられた光は、第２光吸収層で吸収される。
【００５８】
（２３）さらに、前記第１光吸収層の前記薄膜トランジスタと反対側に第２遮光層が設けられているとよい。
【００５９】
この態様によれば、内部反射等によって前記薄膜トランジスタに向けられた光は、第２遮光層で遮光することができる。
【００６０】
（２４）また、前記第２遮光層は、前記第１光吸収層の内側の領域に形成されていてもよい。
【００６１】
この態様によれば、第２遮光層から延びている第１光吸収層に、斜めからの強い光が第１光吸収層に照射して、第１光吸収層から漏れても、光をそのまま外へ逃がすことができる。
【００６２】
（２５）また、前記第２遮光膜は、前記第１遮光膜の内側の領域に形成されていることを特徴とする。
【００６３】
この態様によれば、第２遮光膜は斜めからの光を避けることができる。
【００６４】
（２６）本発明の電気光学装置の他の態様では、一対の基板と、前記一対の基板間に形成された電気光学物質と、前記一対の基板の一方に形成された画素電極と、前記画素電極に接続された薄膜トランジスタと、前記薄膜トランジスタの少なくともチャネル領域を覆う第１光吸収層と、前記薄膜トランジスタを介して前記第１光吸収層と対峙する第２光吸収層とを備えたことを特徴とする。
【００６５】
この態様によれば、特に斜めから入ってきた光を、第１光吸収層と第２光吸収層とで吸収して、薄膜トランジスタに照射される光を減らすことができる。
【００６６】
（２７）また、前記画素電極と前記薄膜トランジスタと前記第１光吸収層との間には透光性の絶縁膜が各々介在している。
【００６７】
（２８）本発明の投射型表示装置の態様は、光源と、クレーム１から２７のいずれか１つの電気光学装置でなるライトバルブと、前記光源から発光した光を前記ライトバルブに導光する導光部材と、前記ライトバルブで変調された光を投射する投射光学部材とを有することを特徴とする。
【００６８】
この態様によれば、電気光学装置内の薄膜トランジスタに光が入りにくいので、高品位の画像を投射することができる。
【００６９】
（２９）本発明の電気光学装置用基板の態様は、画素電極と、前記画素電極に接続された薄膜トランジスタと、前記薄膜トランジスタの少なくともチャネル領域を覆う遮光層と、前記遮光層と前記薄膜トランジスタとの間に配置された光吸収層とを備えたことを特徴とする。
【００７０】
（３０）また、本発明の電気光学装置用基板の態様は、画素電極と、前記画素電極に接続された薄膜トランジスタと、前記薄膜トランジスタの少なくともチャネル領域を覆う遮光層と、前記薄膜トランジスタを介して前記遮光層と対峙する光吸収層とを備えたことを特徴とする。
【００７１】
（３１）また、本発明の電気光学装置用基板の態様は、画素電極と、前記画素電極に接続された薄膜トランジスタと、前記薄膜トランジスタの少なくともチャネル領域を覆う第１光吸収層と、前記薄膜トランジスタを介して前記第１光吸収層と対峙する第２光吸収層とを備えたことを特徴とする。
【００７２】
尚、本発明に係る薄膜トランジスタとしては、走査線の一部からなるゲート電極がチャネル領域の上側に位置する所謂トップゲート型でもよいし、走査線の一部からなるゲート電極がチャネル領域の下側に位置する所謂ボトムゲート型でもよい。また、画素電極の層間位置も、基板上で走査線の上方でも下方でもよい。
【００７３】
本発明のこのような作用及び他の利得は次に説明する実施の形態から明らかにされる。
【発明を実施するための最良の形態】
【００７４】
以下、本発明の実施形態を図面に基づいて説明する。以下の実施形態は、本発明の電気光学装置を液晶装置に適用したものである。
【００７５】
先ず本発明の実施形態における電気光学装置の構成について、図１から図３を参照して説明する。図１は、電気光学装置の画像表示領域を構成するマトリクス状に形成された複数の画素における各種素子、配線等の等価回路である。図２は、データ線、走査線、画素電極等が形成されたＴＦＴアレイ基板の相隣接する複数の画素群の平面図である。図３は、図２のＡ−Ａ’断面図である。尚、図３においては、各層や各部材を図面上で認識可能な程度の大きさとするため、各層や各部材毎に縮尺を異ならしめてある。
【００７６】
図１において、本実施形態における電気光学装置の画像表示領域を構成するマトリクス状に形成された複数の画素には夫々、画素電極９ａと当該画素電極９aをスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしても良い。また、ＴＦＴ３０のゲートに走査線３ａが電気的に接続されており、所定のタイミングで、走査線３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。画素電極９ａを介して電気光学物質の一例としての液晶に書き込まれた所定レベルの画像信号Ｓ１、Ｓ２、…、Ｓｎは、対向基板（後述する）に形成された対向電極（後述する）との間で一定期間保持される。液晶は、印加される電圧レベルにより分子集合の配向や秩序が変化することにより、光を変調し、階調表示を可能にする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストを持つ光が出射する。ここで、保持された画像信号がリークするのを防ぐために、画素電極９ａと対向電極との間に形成される液晶容量と並列に蓄積容量７０を付加する。
【００７７】
図２において、電気光学装置のＴＦＴアレイ基板上には、マトリクス状に複数の透明な画素電極９ａ（点線部９ａ’により輪郭が示されている）が設けられており、画素電極９ａの縦横の境界に各々沿ってデータ線６ａ及び走査線３ａが設けられている。
【００７８】
また、半導体層１ａのうち図中右上がりの斜線領域で示したチャネル領域１ａ’に対向するように走査線３ａが配置されており、走査線３ａはゲート電極として機能する（特に、本実施形態では、走査線３ａは、当該ゲート電極となる部分において幅広に形成されている）。このように、走査線３ａとデータ線６ａとの交差する個所には夫々、チャネル領域１ａ’に走査線３ａがゲート電極として対向配置された画素スイッチング用のＴＦＴ３０が設けられている。
【００７９】
図２及び図３に示すように、本実施形態では特に、容量線３００は、導電性のポリシリコン膜等からなる第１膜７２と高融点金属を含む金属シリサイド膜等からなる第２膜７３とが積層された多層構造を持つ。このうち第２膜７３は、容量線３００或いは蓄積容量７０の固定電位側容量電極としての機能の他、ＴＦＴ３０の上側において入射光からＴＦＴ３０を遮光する遮光層としての機能を持つ。
また第１膜７２は、容量線３００或いは蓄積容量７０の固定電位側容量電極としての機能の他、遮光層としての第２膜７３とＴＦＴ３０との間に配置された光吸収層としての機能を持つ。他方、容量線３００に対して、誘電体膜７５を介して対向配置される中継層７１ａは、蓄積容量７０の画素電位側容量電極としての機能の他、遮光層としての第２膜７３とＴＦＴ３０との間に配置される光吸収層としての機能を持ち、更に、画素電極９ａとＴＦＴ３０の高濃度ドレイン領域１ｅとを中継接続する中間導電層としての機能を持つ。このような遮光及び光吸収については図４から図７を参照して後に詳述する。尚、これらの光吸収層としての第１膜７２及び中継層７１ａは、ポリシリコン膜等の、遮光層としての第２膜７３と比較して光吸収率が高い材質からなる。
【００８０】
本実施形態では、蓄積容量７０は、ＴＦＴ３０の高濃度ドレイン領域１ｅ（及び画素電極９ａ）に接続された画素電位側容量電極としての中継層７１ａと、固定電位側容量電極としての容量線３００の一部とが、誘電体膜７５を介して対向配置されることにより形成されている。
【００８１】
容量線３００は平面的に見て、走査線３ａに沿ってストライプ状に伸びており、ＴＦＴ３０に重なる個所が図２中上下に突出している。そして、図２中縦方向に夫々伸びるデータ線６ａと図２中横方向に夫々伸びる容量線３００とが相交差して形成されることにより、ＴＦＴアレイ基板１０上におけるＴＦＴ３０の上側に、平面的に見て格子状の遮光層が構成されており、各画素の開口領域を規定している。
【００８２】
他方、ＴＦＴアレイ基板１０上におけるＴＦＴ３０の下側には、下側遮光膜１１ａが格子状に設けられている。
【００８３】
本実施形態では特に、格子状の下側遮光膜１１ａの形成領域は、同じく格子状の上側の遮光層（即ち、容量電極３００及びデータ線６ａ）の形成領域内に位置する（即ち、一回り小さく形成され、下側遮光膜１１ａは、容量線３００及びデータ線６ａの幅より狭く形成されている）。そして、ＴＦＴ３０のチャネル領域１ａは、その低濃度ソース領域１ｂ及び低濃度ドレイン領域１ｃ（即ち、ＬＤＤ領域）との接合部を含めて、このような格子状の下側遮光膜１１ａの交差領域内に（従って、格子状の上側遮光膜の交差領域内に）位置する。
【００８４】
これらの遮光層の一例を構成する第２膜７３及び下側遮光膜１１ａは夫々、例えば、Ｔｉ、Ｃｒ、Ｗ、Ｔａ、Ｍｏ、Ｐｂ等の高融点金属のうちの少なくとも一つを含む、金属単体、合金、金属シリサイド、ポリシリサイド、これらを積層したもの等からなる。また、このような第２膜７３を含んでなる容量線３００は、多層構造を有し、その第１膜７２が導電性のポリシリコン膜であるため、係る第２膜７３については、導電性材料から形成する必要はないが、第１膜７２だけでなく第２膜７３をも導電膜から形成すれば、容量線３００をより低抵抗化できる。
【００８５】
また図３において、容量電極としての中継層７１ａと容量線３００との間に配置される誘電体膜７５は、例えば膜厚５〜２００ｎｍ程度の比較的薄いＨＴＯ膜、ＬＴＯ膜等の酸化シリコン膜、あるいは窒化シリコン膜等から構成される。蓄積容量７０を増大させる観点からは、膜の信頼性が十分に得られる限りにおいて、誘電体膜７５は薄い程良い。
【００８６】
光吸収層として機能するのみならず容量線３００の一部を構成する第１膜７２は、例えば膜厚１５０ｎｍ程度のポリシリコン膜からなる。また、遮光層として機能するのみならず容量線３００の他の一部を構成する第２膜７３は、例えば膜厚１５０ｎｍ程度のタングステンシリサイド膜からなる。このように誘電体膜７５に接する側に配置される第１膜７２をポリシリコン膜から構成し、誘電体膜７５に接する中継層７１ａをポリシリコン膜から構成することにより、誘電体膜７５の劣化を阻止できる。例えば、仮に金属シリサイド膜を誘電体膜７５に接触させる構成を採ると、誘電体膜７５に重金属等の金属が入り込んで、誘電体膜７５の性能を劣化させてしまう。更に、このような容量線３００を誘電体膜７５上に形成する際に、誘電体膜７５の形成後にフォトレジスト工程を入れることなく、連続で容量線３００を形成すれば、誘電体膜７５の品質を高められるので、当該誘電体膜７５を薄く成膜することが可能となり、最終的に蓄積容量７０を増大できる。
【００８７】
図２及び図３に示すように、データ線６ａは、コンタクトホール８１を介して中継接続用の中継層７１ｂに接続されており、更に中継層７１ｂは、コンタクトホール８２を介して、例えばポリシリコン膜からなる半導体層１ａのうち高濃度ソース領域１ｄに電気的に接続されている。尚、中継層７１ｂは、前述した諸機能を持つ中継層７１ａと同一膜から同時形成される。
【００８８】
また容量線３００は、画素電極９ａが配置された画像表示領域からその周囲に延設され、定電位源と電気的に接続されて、固定電位とされる。この点については、図８及び図９を参照して後に詳述する。
【００８９】
画素電極９ａは、中継層７１ａを中継することにより、コンタクトホール８３及び８５を介して半導体層１ａのうち高濃度ドレイン領域１ｅに電気的に接続されている。即ち、本実施形態では、中継層７１ａは、蓄積容量７０の画素電位側容量電極としての機能及び光吸収層としての機能に加えて、画素電極９ａをＴＦＴ３０へ中継接続する機能を果たす。このように中継層７１ａ及び７１ｂを中継層として利用すれば、層間距離が例えば２０００ｎｍ程度に長くても、両者間を一つのコンタクトホールで接続する技術的困難性を回避しつつ比較的小径の二つ以上の直列なコンタクトホールで両者間を良好に接続でき、画素開口率を高めることが可能となり、コンタクトホール開孔時におけるエッチングの突き抜け防止にも役立つ。
【００９０】
図２及び図３において、電気光学装置は、透明なＴＦＴアレイ基板１０と、これに対向配置される透明な対向基板２０とを備えている。ＴＦＴアレイ基板１０は、例えば石英基板、ガラス基板、シリコン基板からなり、対向基板２０は、例えばガラス基板や石英基板からなる。
【００９１】
ＴＦＴアレイ基板１０には、平面的に見て格子状の溝１０ｃｖが掘られている（図２中右下がりの斜線領域で示されている）。走査線３ａ、データ線６ａ、ＴＦＴ３０等の配線や素子等は、この溝１０ｃｖ内に埋め込まれている。これにより、配線、素子等が存在する領域と存在しない領域との間における段差が緩和されており、最終的には段差に起因した液晶の配向不良等の画像不良を低減できる。
【００９２】
図３に示すように、ＴＦＴアレイ基板１０には、画素電極９ａが設けられており、その上側には、ラビング処理等の所定の配向処理が施された配向膜１６が設けられている。画素電極９ａは例えば、ＩＴＯ（Indium Tin Oxide）膜などの透明導電性膜からなる。また配向膜１６は例えば、ポリイミド膜などの有機膜からなる。
【００９３】
他方、対向基板２０には、その全面に渡って対向電極２１が設けられており、その下側には、ラビング処理等の所定の配向処理が施された配向膜２２が設けられている。対向電極２１は例えば、ＩＴＯ膜などの透明導電性膜からなる。また配向膜２２は、ポリイミド膜などの有機膜からなる。
【００９４】
対向基板２０には、格子状又はストライプ状の遮光膜を設けるようにしてもよい。このような構成を採ることで、前述の如く遮光層を構成する容量線３００及びデータ線６ａと共に当該対向基板２０上の遮光膜により、対向基板２０側からの入射光がチャネル領域１ａ’や低濃度ソース領域１ｂ及び低濃度ドレイン領域１ｃに侵入するのを、より確実に阻止できる。更に、このような対向基板２０上の遮光膜は、少なくとも入射光が照射される面を高反射な膜で形成することにより、電気光学装置の温度上昇を防ぐ働きをする。尚、このように対向基板２０上の遮光膜は好ましくは、平面的に見て容量線３００とデータ線６ａとからなる遮光層の内側に位置するように形成する。これにより、対向基板２０上の遮光膜により、各画素の開口率を低めることなく、このような遮光及び温度上昇防止の効果が得られる。
【００９５】
このように構成された、画素電極９ａと対向電極２１とが対面するように配置されたＴＦＴアレイ基板１０と対向基板２０との間には、後述のシール材により囲まれた空間に電気光学物質の一例である液晶が封入され、液晶層５０が形成される。液晶層５０は、画素電極９ａからの電界が印加されていない状態で配向膜１６及び２２により所定の配向状態をとる。液晶層５０は、例えば一種又は数種類のネマティック液晶を混合した液晶からなる。シール材は、ＴＦＴアレイ基板１０及び対向基板２０をそれらの周辺で貼り合わせるための、例えば光硬化性樹脂や熱硬化性樹脂からなる接着剤であり、両基板間の距離を所定値とするためのグラスファイバー或いはガラスビーズ等のギャップ材が混入されている。
【００９６】
更に、画素スイッチング用ＴＦＴ３０の下には、下地絶縁膜１２が設けられている。下地絶縁膜１２は、下側遮光膜１１ａからＴＦＴ３０を層間絶縁する機能の他、ＴＦＴアレイ基板１０の全面に形成されることにより、ＴＦＴアレイ基板１０の表面の研磨時における荒れや、洗浄後に残る汚れ等で画素スイッチング用ＴＦＴ３０の特性の劣化を防止する機能を有する。
【００９７】
図３において、画素スイッチング用ＴＦＴ３０は、ＬＤＤ（Lightly Doped Drain）構造を有しており、走査線３ａ、当該走査線３ａからの電界によりチャネルが形成される半導体層１ａのチャネル領域１ａ’、走査線３ａと半導体層１ａとを絶縁するゲート絶縁膜を含む絶縁薄膜２、半導体層１ａの低濃度ソース領域１ｂ及び低濃度ドレイン領域１ｃ、半導体層１ａの高濃度ソース領域１ｄ並びに高濃度ドレイン領域１ｅを備えている。
【００９８】
走査線３ａ上には、高濃度ソース領域１ｄへ通じるコンタクトホール８２及び高濃度ドレイン領域１ｅへ通じるコンタクトホール８３が各々開孔された第１層間絶縁膜４１が形成されている。
【００９９】
第１層間絶縁膜４１上には中継層７１ａ及び７１ｂ並びに容量線３００が形成されており、これらの上には、中継層７１ａ及び７１ｂへ夫々通じるコンタクトホール８１及びコンタクトホール８５が各々開孔された第２層間絶縁膜４２が形成されている。
【０１００】
尚、本実施形態では、第１層間絶縁膜４１に対しては、１０００℃の焼成を行うことにより、半導体層１ａや走査線３ａを構成するポリシリコン膜に注入したイオンの活性化を図ってもよい。他方、第２層間絶縁膜４２に対しては、このような焼成を行わないことにより、容量線３００の界面付近に生じるストレスの緩和を図るようにしてもよい。
【０１０１】
第２層間絶縁膜４２上にはデータ線６ａが形成されており、これらの上には、中継層７１ａへ通じるコンタクトホール８５が形成された第３層間絶縁膜４３が形成されている。画素電極９ａは、このように構成された第３層間絶縁膜４３の上面に設けられている。
【０１０２】
光吸収層７２，７１ａは、下地絶縁膜１２及び各層間絶縁膜４１，４２，４３より吸収性のある材料で形成されている。
【０１０３】
以上のように構成された本実施形態によれば、対向基板２０側からＴＦＴ３０のチャネル領域１ａ’及びその付近に入射光が入射しようとすると、データ線６ａ及び容量線３００（特に、その第２膜７３）からなる格子状の遮光層で遮光を行う。他方、ＴＦＴアレイ基板１０側から、ＴＦＴ３０のチャネル領域１ａ’及びその付近に戻り光が入射しようとすると、下側遮光膜１１ａで遮光を行う（特に、複板式のカラー表示用のプロジェクタ等で複数の電気光学装置をプリズム等を介して組み合わせて一つの光学系を構成する場合には、他の電気光学装置からプリズム等を突き抜けて来る投射光部分からなる戻り光は強力であるので、有効である。）。そして、高反射率のＡｌ膜からなるデータ線６ａや、反射率の比較的高い高融点金属膜からなる第２膜７３の内面（即ち、ＴＦＴ３０に面する側の表面）に斜めの戻り光が入射することにより発生する内面反射光、多重反射光などは、光吸収層としての第１膜７２及び中継層７１ａにより吸収除去される。これらの結果、ＴＦＴ３０の特性が光リークにより劣化することは殆ど無くなり、当該電気光学装置では、非常に高い耐光性が得られる。
【０１０４】
特に本実施形態では、光吸収層としての第１膜７２及び中継層７１ａは、導体化したポリシリコン膜（又はアモルファスシリコン等のシリコン膜）からなり、チャネル領域も閾値電圧Ｖｔｈ制御のためにＰ、Ｂ、Ａｓ等をドープした又はノンドープのポリシリコン膜（又はアモルファスシリコン等のシリコン膜）からなるので、チャネル領域における光吸収特性（周波数依存性等）と類似或いは同一の光吸収特性を、当該光吸収層が有する。従って、チャネル領域１ａ’で吸収されることにより光リークの原因となる周波数成分を中心として、第１膜７２及び中継層７１ａにより光を吸収除去できるので好都合である。すなわち、ＴＦＴチャネルと光吸収層を同一の主材料で形成することにより光吸収性効果を高めている。
【０１０５】
次に、図４から図７を参照して、本実施形態における遮光及び光吸収について更に説明を加える。ここに、図４は、画像表示領域における上側遮光膜及び下側遮光膜を抽出し且つ拡大して示す図式的な平面図であり、図５及び図６は、図４のＢ−Ｂ’断面における、遮光及び光吸収の様子を示す図式的な断面図である。
また、図７は、変形形態における同じく図４のＢ−Ｂ’断面における、遮光及び光吸収の様子を示す図式的な断面図である。
【０１０６】
図４に示すように、本実施形態では各画素の非開口領域は、主に容量線３００と、（コンタクトホール８１及び８２の形成用に容量線３００が途切れている個所における）データ線６ａとからなる遮光層により格子状に規定される。従ってこれらの容量線３００及びデータ線６ａにより、光抜けが生じてコントラス比が低下するのを効果的に防止できる。ここでＴＦＴ３０の上側には、これらの容量線３００及びデータ線６ａが格子状に存在し、ＴＦＴ３０の下側には、格子状に配置された下側遮光膜１１ａが存在し、下側遮光膜１１ａの形成領域は、容量線３００及びデータ線６ａからなる格子状の遮光層の形成領域内に位置している。
【０１０７】
従って図５に示すように、当該電気光学装置における上側（即ち、入射光の入射側）から入射する入射光Ｌ１に対しては、容量線３００の第２膜７３及びデータ線６ａが、遮光層として機能する。従って、このような入射光Ｌ１がＴＦＴ３０に到達することを防止できる。更に、下側遮光膜１１ａは、上側にある遮光層（即ち、容量線３００の第２膜７３及びデータ線６ａ）よりも一回り小さく形成されているので、入射光Ｌ１に含まれる斜めの成分が、上側の遮光層（容量線３００及びデータ線６ａ）の脇を抜けて、下側遮光膜１１ａの内面で反射することによる内面反射光や多重反射光の発生も低減されている。
【０１０８】
他方、図６に示すように、当該電気光学装置における下側（即ち、入射光の出射側）から入射する戻り光Ｌ２に対しては、下側遮光膜１１ａが遮光層として機能する。従って、このような戻り光Ｌ２がＴＦＴ３０に到達することを防止できる。ここで、下側遮光膜１１ａは、上側にある遮光層（即ち、容量線３００の第２膜７３及びデータ線６ａ）よりも一回り小さく形成されているので、戻り光Ｌ２に含まれる斜めの成分の一部が、下側遮光層１１ａの脇を抜けて、上側にある遮光層の内面（特に、容量線３００の内面）に向かって進む。しかしながら、上側にある遮光層（即ち、容量線３００の第２膜７３及びデータ線６ａ）とＴＦＴ３０との間には、光吸収層（即ち、容量線３００の第１膜７２及び中継層７１ａ）が存在するので、このように戻り光Ｌ２に含まれる斜めの成分並びに、係る成分が上側の遮光層（即ち、容量線３００の第２膜７３及びデータ線６ａ）の内面で反射することによる内面反射光Ｌ３及び多重反射光Ｌ４は、光吸収層により吸収除去される。
【０１０９】
以上の結果、本実施形態により、各画素の開口率を高めつつ耐光性を高めることにより画素スイッチング用ＴＦＴ３０の光リークによる特性劣化を低減でき、最終的にコントラスト比が高く且つ明るく高品位の画像表示が可能となる。
【０１１０】
本実施形態では好ましくは、遮光層を構成する第２膜７３は、光吸収層を構成する第１膜７２及び中継層７１ａよりも熱伝導率が高い。従って、第１膜７２及び中継層７１ａにおいて光吸収に伴って発生する熱を、熱伝導率の高い第２膜７３を介して逃がすことができる。即ち、第１膜７２及び中継層７１ａからＴＦＴ３０に伝わる熱量を低減でき、これにより、ＴＦＴ３０で生じる熱リークを低減できる。これらの結果、光リーク及び熱リークの両者を低減することにより、ＴＦＴ３０のトランジスタ特性を顕著に向上させ得る。
【０１１１】
更にＴＦＴ３０の熱リークを低減する観点からは、光吸収層としての中継層７１ａとＴＦＴ３０との間に介在する第１層間絶縁膜４１は、光吸収層としての中継層７１ａと上述の如く熱を逃がす機能を持つ容量線３００との間に介在する誘電体膜７５よりも大きく設定することが好ましい。このように設定すれば、光吸収層としての中継層７１ａにおいて光吸収に伴って発生する熱を、容量線３００を介して一層効率良く逃がすことができる。
【０１１２】
尚、図４から図６に示した実施形態では、下側遮光膜１１ａは、上側にある遮光層（即ち、容量線３００の第２膜７３及びデータ線６ａ）よりも一回り小さく形成されているので、入射光Ｌ１に含まれる斜めの成分は、下側遮光層１１ａの内面に到達し難い構成とされている。しかしながら、装置仕様（例えば、下側遮光膜１１ａをどれだけ小さくするか、入射光にどれだけ斜めに角度がついているか等）によっては、下側遮光膜１１ａの内面で、斜めの入射光Ｌ１が反射することによる、内面反射光や多重反射光が問題となる。
【０１１３】
このような場合には、図７に示した変形形態のように、下側遮光膜１１ａの内面にも光吸収層１１ｂを設ければよい。このように構成すれば、下側遮光膜１１ａの内面に到達する斜めの入射光Ｌ１や、これに起因する内面反射光Ｌ３或いは多重反射光Ｌ４を、光吸収層１１ｂで吸収除去可能となる。光吸収層１１ｂを形成する主材料はチャネル領域を形成する材料と同一材料であることが好ましい。
【０１１４】
また、他の変形形態として、図８に示した変形形態でもよい。下側遮光膜１１ａは、上側遮光膜７３，６ａより内側に形成され、下側の吸収層１１ｂは下側遮光膜１１ｂより広く形成されている。このように構成すれば、斜めの入射光Ｌ１は下側の吸収層１１ｂあるいは、上側の吸収層７１ａ，７２で吸収除去可能となる。また、下側の吸収層１１ｂを透過した斜めの入射光Ｌ１は、下側遮光膜１１ａで反射されることなく通過するので、ＴＦＴ３０の半導体層に届くことがない。
【０１１５】
図８の変形形態は、下側の吸収層１１ｂは上側の吸収層７１ａ，７２とほぼ同じ幅で示したが、上側の吸収層７１ａ，７２より内側に形成してもよく、また広くしてもよい。
【０１１６】
次に、容量線３００を固定電位とする構成について、図９及び図１０を参照して説明する。ここに、図９は、容量線３００を定電位源に落とす構成の一例を示す平面図であり、図１０は、容量線３００を定電位源に落とす構成の他の一例を示す平面図である。
【０１１７】
図９及び図１０に示すように、画像表示領域１０ａ内に概ねストライプ状に形成された容量線３００は、好ましくは画像表示領域１０ａの周辺にある周辺領域にまで延設されて、一まとめにされる。そして図８に示すように、周辺領域で、例えば、ＴＦＴアレイ基板１０の４隅に設けられたコンタクトホール３０２により、まとめて定電位配線３０３に接続してもよいし、図１０に示すように、冗長的に設けられた複数のコンタクトホール３０２’により定電位配線３０３’に接続してもよい。尚、図９及び図１０において、定電位配線３０３及び３０３’は、好ましくはデータ線６ａと同じく低抵抗のＡｌ膜から形成される。
【０１１８】
また、このような定電位配線３０３及び３０３’が接続されている定電位源としては、ＴＦＴ３０を駆動するための走査信号を走査線３ａに供給するための走査線駆動回路（後述する）や画像信号をデータ線６ａに供給するサンプリング回路を制御するデータ線駆動回路（後述する）に供給される正電源や負電源の定電位源でもよいし、対向基板２０の対向電極２１に供給される定電位でも構わない。
【０１１９】
尚、ＴＦＴ３０の下側に設けられる下側遮光膜１１ａについても、その電位変動がＴＦＴ３０に対して悪影響を及ぼすことを避けるために、容量線３００と同様に、画像表示領域からその周囲に延設して定電位源に接続するとよい。
【０１２０】
以上説明した実施形態では、図３に示したように多数の導電層を積層することにより、画素電極９ａの下地面（即ち、第３層間絶縁膜４３の表面）におけるデータ線６ａや走査線３ａに沿った領域に段差が生じるのを、ＴＦＴアレイ基板１０に溝１０ｃｖを掘ることで緩和しているが、これに変えて又は加えて、下地絶縁膜１２、第１層間絶縁膜４１、第２層間絶縁膜４２、第３層間絶縁膜４３に溝を掘って、データ線６ａ等の配線やＴＦＴ３０等を埋め込むことにより平坦化処理を行ってもよいし、第３層間絶縁膜４３や第２層間絶縁膜４２の上面の段差をＣＭＰ（Chemical Mechanical Polishing）処理等で研磨することにより、或いは有機ＳＯＧを用いて平らに形成することにより、当該平坦化処理を行ってもよい。
【０１２１】
更に以上説明した実施形態では、画素スイッチング用ＴＦＴ３０は、好ましくは図３に示したようにＬＤＤ構造を持つが、低濃度ソース領域１ｂ及び低濃度ドレイン領域１ｃに不純物の打ち込みを行わないオフセット構造を持ってよいし、走査線３ａの一部からなるゲート電極をマスクとして高濃度で不純物を打ち込み、自己整合的に高濃度ソース及びドレイン領域を形成するセルフアライン型のＴＦＴであってもよい。また本実施形態では、画素スイッチング用ＴＦＴ３０のゲート電極を高濃度ソース領域１ｄ及び高濃度ドレイン領域１ｅ間に１個のみ配置したシングルゲート構造としたが、これらの間に２個以上のゲート電極を配置してもよい。このようにデュアルゲート或いはトリプルゲート以上でＴＦＴを構成すれば、チャネルとソース及びドレイン領域との接合部のリーク電流を防止でき、オフ時の電流を低減することができる。
【０１２２】
（電気光学装置の全体構成）
以上のように構成された各実施形態における電気光学装置の全体構成を図１１及び図１２を参照して説明する。尚、図１１は、ＴＦＴアレイ基板１０をその上に形成された各構成要素と共に対向基板２０の側から見た平面図であり、図１２は、図１１のＨ−Ｈ’断面図である。
【０１２３】
図１２において、ＴＦＴアレイ基板１０の上には、シール材５２がその縁に沿って設けられており、その内側に並行して、画像表示領域１０ａの周辺を規定する額縁としての遮光膜５３が設けられている。シール材５２の外側の領域には、データ線６ａに画像信号を所定タイミングで供給することによりデータ線６ａを駆動するデータ線駆動回路１０１及び外部回路接続端子１０２がＴＦＴアレイ基板１０の一辺に沿って設けられており、走査線３ａに走査信号を所定タイミングで供給することにより走査線３ａを駆動する走査線駆動回路１０４が、この一辺に隣接する２辺に沿って設けられている。走査線３ａに供給される走査信号遅延が問題にならないのならば、走査線駆動回路１０４は片側だけでも良いことは言うまでもない。また、データ線駆動回路１０１を画像表示領域１０ａの辺に沿って両側に配列してもよい。更にＴＦＴアレイ基板１０の残る一辺には、画像表示領域１０ａの両側に設けられた走査線駆動回路１０４間をつなぐための複数の配線１０５が設けられている。また、対向基板２０のコーナー部の少なくとも１箇所においては、ＴＦＴアレイ基板１０と対向基板２０との間で電気的に導通をとるための導通材１０６が設けられている。そして、図１２に示すように、図１１に示したシール材５２とほぼ同じ輪郭を持つ対向基板２０が当該シール材５２によりＴＦＴアレイ基板１０に固着されている。
【０１２４】
尚、ＴＦＴアレイ基板１０上には、これらのデータ線駆動回路１０１、走査線駆動回路１０４等に加えて、複数のデータ線６ａに画像信号を所定のタイミングで印加するサンプリング回路、複数のデータ線６ａに所定電圧レベルのプリチャージ信号を画像信号に先行して各々供給するプリチャージ回路、製造途中や出荷時の当該電気光学装置の品質、欠陥等を検査するための検査回路等を形成してもよい。
【０１２５】
以上図１から図１２を参照して説明した実施形態では、データ線駆動回路１０１及び走査線駆動回路１０４をＴＦＴアレイ基板１０の上に設ける代わりに、例えばＴＡＢ（Tape Automated bonding）基板上に実装された駆動用ＬＳＩに、ＴＦＴアレイ基板１０の周辺部に設けられた異方性導電フィルムを介して電気的及び機械的に接続するようにしてもよい。また、対向基板２０の投射光が入射する側及びＴＦＴアレイ基板１０の出射光が出射する側には各々、例えば、ＴＮモード、ＶＡ（Vertically Aligned）モード、ＰＤＬＣ(Polymer Dispersed Liquid Crystal)モード等の動作モードや、ノーマリーホワイトモード／ノーマリーブラックモードの別に応じて、偏光フィルム、位相差フィルム、偏光板などが所定の方向で配置される。
【０１２６】
以上説明した実施形態における電気光学装置は、例えば、ライトバルブとしてプロジェクタに適用される。
【０１２７】
図１３は、このプロジェクタの構成を示す平面図である。この図に示されるように、プロジェクタ２１００内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲＧＢの３原色に分離されて、各原色に対応するライトバルブ１００Ｒ、１００Ｇおよび１００Ｂにそれぞれ導かれる。ここで、ライトバルブ１００Ｒ、１００Ｇおよび１００Ｂの構成は、上述した実施形態に係る液晶パネル１００と同様であり、画像信号を入力する処理回路（図示省略）から供給されるＲ、Ｇ、Ｂの原色信号でそれぞれ駆動されるものである。また、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【０１２８】
さて、ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【０１２９】
なお、ライトバルブ１００Ｒ、１００Ｇおよび１００Ｂには、ダイクロイックミラー２１０８によって、Ｒ、Ｇ、Ｂの各原色に対応する光が入射するので、上述したようにカラーフィルタを設ける必要はない。また、ライトバルブ１００Ｒ、１００Ｂの透過像はダイクロイックミラー２１１２により反射した後に投射されるのに対し、ライトバルブ１００Ｇの透過像はそのまま投射されるので、ライトバルブ１００Ｒ、１００Ｂによる表示像を、ライトバルブ１００Ｇによる表示像に対して左右反転させる構成となっている。
【０１３０】
上述した各実施形態では、対向基板２０に、カラーフィルタは設けられていない。しかしながら、画素電極９ａに対向する所定領域にＲＧＢのカラーフィルタをその保護膜と共に、対向基板２０上に形成してもよい。このようにすれば、プロジェクタ以外の直視型や反射型のカラー電気光学装置について、各実施形態における電気光学装置を適用できる。
【０１３１】
また、対向基板２０上に１画素１個対応するようにマイクロレンズを形成してもよい。あるいは、ＴＦＴアレイ基板１０上のＲＧＢに対向する画素電極９ａ下にカラーレジスト等でカラーフィルタ層を形成することも可能である。このようにすれば、入射光の集光効率を向上することで、明るい電気光学装置が実現できる。更にまた、対向基板２０上に、何層もの屈折率の相違する干渉層を堆積することで、光の干渉を利用して、ＲＧＢ色を作り出すダイクロイックフィルタを形成してもよい。このダイクロイックフィルタ付き対向基板によれば、より明るいカラー電気光学装置が実現できる。
【０１３２】
その他の適用例としては、モバイル型のパーソナルコンピュータの表示部や、携帯電話の表示部をはじめ、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、デジタルスチルカメラ、タッチパネルを備えた電子機器等にも適用できる。
【０１３３】
本発明は、上述した実施形態に限られるものではなく、請求の範囲及び明細書全体から読み取れる発明の要旨或いは思想に反しない範囲で適宜変更可能であり、そのような変更を伴なう電気光学装置及びその製造方法もまた本発明の技術的範囲に含まれるものである。
【図面の簡単な説明】
【０１３４】
【図１】本発明の実施形態の電気光学装置における画像表示領域を構成するマトリクス状の複数の画素に設けられた各種素子、配線等の等価回路である。
【図２】実施形態の電気光学装置におけるデータ線、走査線、画素電極等が形成されたＴＦＴアレイ基板の相隣接する複数の画素群の平面図である。
【図３】図２のＡ−Ａ’断面図である。
【図４】実施形態における上層遮光膜及び下層遮光膜を抽出して示すＴＦＴアレイ基板の画素の平面図である。
【図５】図４のＢ−Ｂ’断面における遮光及び光吸収の様子を示す図式的な断面図（その１）である。
【図６】図４のＢ−Ｂ’断面における遮光及び光吸収の様子を示す図式的な断面図（その２）である。
【図７】変形形態における、図４のＢ−Ｂ’断面における遮光及び光吸収の様子を示す図式的な断面図である。
【図８】他の変形形態における、図４のＢ−Ｂ’断面における遮光及び光吸収の様子を示す図式的な断面図である。
【図９】容量線３００を定電位源に落とす構成の一例を示す平面図である。
【図１０】容量線３００を定電位源に落とす構成の他の一例を示す平面図である。
【図１１】実施形態の電気光学装置におけるＴＦＴアレイ基板をその上に形成された各構成要素と共に対向基板の側から見た平面図である。
【図１２】図１１のＨ−Ｈ’断面図である。
【図１３】プロジェクタの構成を示す平面図である。
【符号の説明】
【０１３５】
１ａ…半導体層
１ａ’…チャネル領域
１ｂ…低濃度ソース領域
１ｃ…低濃度ドレイン領域
１ｄ…高濃度ソース領域
１ｅ…高濃度ドレイン領域
２…絶縁薄膜
３ａ…走査線
６ａ…データ線
９ａ…画素電極
１０…ＴＦＴアレイ基板
１０ｃｖ…溝
１１ａ…下側遮光膜
１２…下地絶縁膜
１６…配向膜
２０…対向基板
２１…対向電極
２２…配向膜
３０…ＴＦＴ
５０…液晶層
７０…蓄積容量
７１ａ…中継層
７１ｂ…中継層
７２…容量線の第１膜
７３…容量線の第２膜
７５…誘電体膜
８１、８２、８３、８５…コンタクトホール
３００…容量線
【図１】
2004295136.tif 000003
【図２】
2004295136.tif 000004
【図３】
2004295136.tif 000005
【図４】
2004295136.tif 000006
【図５】
2004295136.tif 000007
【図６】
2004295136.tif 000008
【図７】
2004295136.tif 000009
【図８】
2004295136.tif 000010
【図９】
2004295136.tif 000011
【図１０】
2004295136.tif 000012
【図１１】
2004295136.tif 000013
【図１２】
2004295136.tif 000014
【図１３】
2004295136.tif 000015